【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
複数のノードを接続したネットワーク上でスパニングツリーを構成するノードにおいて、
ネットワーク内の各ノードがルートノードとなるスパニングツリーを生成し、宛先がルートノードとなるスパニングツリーを用いてフレームを転送する
ことを特徴とするノード。
【請求項２】
複数のノードを接続したネットワーク上でスパニングツリーを構成するノードにおいて、
スパニングツリーを生成するツリーマネージャが、
スパニングツリープロトコルの種類およびバージョンにより、コスト値を調整するコスト操作器を備えることを特徴とするノード。
【請求項３】
前記コスト操作器は、
障害回復処理が遅いプロトコルを利用しているリンクに対して、大きなコストを割り振ることを特徴とする請求項２に記載のノード。
【請求項４】
複数のノードを接続したネットワーク上でスパニングツリーを構成するノードにおいて、
ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行うことを特徴とするノード。
【請求項５】
複数のノードを接続したネットワーク上でスパニングツリーを構成するノードにおいて、
独立して動作する複数のスパニングツリーを生成する複数のツリーマネージャと、
転送用ツリーに対応したタグを返答するタグテーブルと、
前記タグテーブルより返答のあったタグをフレームに挿入するタグ挿入器と、
ネットワークに存在する動作の遅いプロトコルを使用中のリンク数と同数のツリーマネージャを生成するツリーセレクタと、
宛先ごとのフレーム転送出力先を記録するフォワーディングテーブルと、
前記フォワーディングテーブルで指定された転送出力先にフレームを転送するフレーム転送器と、
前記タグに従って転送先のツリーマネージャを決定する分別器
とを備えることを特徴とするノード。
【請求項６】
前記ツリーセレクタが、
ツリーマネージャの作成もしくは削除を行うツリーセレクタ内のメインコントローラと、
フレームに付加されたタグを削除するタグ削除器と、
制御フレームを送信するＧＶＲＰ送受信器と、
フレームにタグを付加するタグ挿入器とを備えることを特徴とする請求項５に記載のノード。
【請求項７】
前記ツリーマネージャが、
フレームに付加されたタグを削除するタグ削除器と、
ＢＰＤＵを送受信するＢＰＤＵ送受信器と、
フレームにタグを付加するタグ挿入器と、
スパニングツリープロトコルにしたがってスパニングツリーを作成するツリーコントローラと、
スパニングツリープロトコルで使用するパラメータを保持するツリーテーブルとを備えることを特徴とする請求項５または請求項６に記載のノード。
【請求項８】
リンクの接続状況や空き帯域を含むリソース情報を計測するリソースモニタを備えることを特徴とする請求項５から請求項７の何れか１項に記載のノード。
【請求項９】
スパニングツリープロトコルで利用されているＨＥＬＬＯフレームより、短い間隔で障害検出用フレームを送受信して障害を検出する障害検出器を備えることを特徴とする請求項１から請求項８の何れか１項に記載のノード。
【請求項１０】
前記フォワーディングテーブルが、ブロードキャスト出力ポートフィールドを有することを特徴とする、請求項５に記載のノード。
【請求項１１】
前記フォワーディングテーブルが、予備出力ポートフィールドを有することを特徴とする、請求項５に記載のノード。
【請求項１２】
スパニングツリーによって決定されるポート種別を用いて、出力先ポートを決定することを特徴とする、請求項５に記載のノード。
【請求項１３】
前記スパニングツリーによって決定されるポート種別が、ルートポート及びディジグネイテッドポートの何れかであることを特徴とする請求項１２に記載のノード。
【請求項１４】
複数のノードを接続したネットワーク上でスパニングツリーを構成する各ノード上で動作するスパニングツリー構成プログラムにおいて、
ネットワーク内の各ノードがルートノードとなるスパニングツリーを生成し、宛先がルートノードとなるツリーを用いてフレームを転送する
ことを特徴とするスパニングツリー構成プログラム。
【請求項１５】
複数のノードを接続したネットワーク上でスパニングツリーを構成する各ノード上で動作するスパニングツリー構成プログラムにおいて、
独立して動作する複数のスパニングツリーを生成する複数のツリーマネージャ処理と、
転送に利用しているスパニングツリーに対応したタグを返答するタグテーブル処理と、
前記タグテーブルより返答のあったタグをフレームに挿入するタグ挿入処理と、
ネットワークに存在するルートノード数と同数のツリーマネージャを生成するツリーセレクタ処理と、
宛先ごとのフレーム転送出力先を記録するフォワーディングテーブル処理と、
前記フォワーディングテーブルで指定された転送出力先にフレームを転送するフレーム転送処理と、
前記タグに従って前記フレームの転送先のツリーマネージャを決定する分別処理
とを備えることを特徴とするスパニングツリー構成プログラム。
【請求項１６】
前記ツリーセレクタ処理が、
ツリーマネージャの作成もしくは削除を行うツリーセレクタ内のメインコントローラ処理と、
フレームに付加されたタグを削除するタグ削除処理と、
スパニングツリーの切り替えのための制御フレームを送信するＧＶＲＰ送受信処理と、
フレームにタグを付加するタグ挿入処理
とを実行することを特徴とする請求項１５に記載のスパニングツリー構成プログラム。
【請求項１７】
前記ツリーマネージャ処理が、
フレームに付加されたタグを削除するタグ削除処理と、
ＢＰＤＵを送受信するＢＰＤＵ送受信処理と、
フレームにタグを付加するタグ挿入処理と、
スパニングツリープロトコルに従ってスパニングツリーを作成するツリーコントローラ処理と、
前記スパニングツリープロトコルで使用するパラメータを保持するツリーテーブル処理とを実行することを特徴とする請求項１５または請求項１６に記載のスパニングツリー構成プログラム。
【請求項１８】
各前記ノードは、リンクの接続状況や空き帯域を含むリソース情報を計測するリソースモニタ処理を実行することを特徴とする請求項１５から請求項１７の何れか１項に記載のスパニングツリー構成プログラム。
【請求項１９】
複数のノードを接続したネットワーク上でスパニングツリーを構成する各ノードで動作するスパニングツリー構成プログラムにおいて、
ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行うことを特徴とするスパニングツリー構成プログラム。
【請求項２０】
複数のノードを接続したネットワーク上でスパニングツリーを構成する各ノードで動作するスパニングツリー構成プログラムにおいて、
独立して動作する複数のスパニングツリーを生成する複数のツリーマネージャ処理と、
転送用ツリーに対応したタグを返答するタグテーブル処理と、
前記タグテーブルより返答のあったタグをフレームに挿入するタグ挿入処理と、
ネットワークに存在する動作の遅いプロトコルを使用中のリンク数と同数のツリーマネージャを生成するツリーセレクタ処理と、
宛先ごとのフレームの転送出力先を記録するフォワーディングテーブル処理と、
前記フォワーディングテーブルで指定された転送出力先にフレームを転送するフレーム転送処理と、
前記タグに従ってフレームの転送先のツリーマネージャを決定する分別処理
とを備えることを特徴とするスパニングツリー構成プログラム。
【請求項２１】
前記ツリーセレクタ処理が、
ツリーマネージャの作成もしくは削除を行うツリーセレクタ内のメインコントローラ処理と、
フレームに付加されたタグを削除するタグ削除処理と、
制御フレームを送信するＧＶＲＰ送受信処理と、
フレームにタグを付加するタグ挿入処理
とを備えることを特徴とする請求項２０に記載のスパニングツリー構成プログラム。
【請求項２２】
前記ツリーマネージャ処理が、
フレームに付加されたタグを削除するタグ削除処理と、
ＢＰＤＵを送受信するＢＰＤＵ送受信処理と、
フレームにタグを付加するタグ挿入処理と、
スパニングツリープロトコルにしたがってスパニングツリーを作成するツリーコントローラ処理と、
スパニングツリープロトコルで使用するパラメータを保持するツリーテーブル処理とを備えることを特徴とする請求項２０または請求項２１に記載のスパニングツリー構成プログラム。
【請求項２３】
各前記ノードは、リンクの接続状況や空き帯域を含むリソース情報を計測するリソースモニタ処理を実行することを特徴とする請求項２０から請求項２２の何れか１項に記載のスパニングツリー構成プログラム。
【請求項２４】
前記フォワーディングテーブルが、ブロードキャスト出力ポートフィールドを有することを特徴とする、請求項１５、もしくは２０に記載のスパニングツリー構成プログラム。
【請求項２５】
前記フォワーディングテーブルが、予備出力ポートフィールドを有することを特徴とする、請求項１５、もしくは２０に記載のスパニングツリー構成プログラム。
【請求項２６】
スパニングツリーによって決定されるポート種別を用いて、出力先ポートを決定することを特徴とする、請求項１５，もしくは２０に記載のスパニングツリー構成プログラム。
【請求項２７】
前記スパニングツリーによって決定されるポート種別が、ルートポート及びディジグネイテッドポートの何れかであることを特徴とする請求項２６に記載のスパニングツリー構成プログラム。
【請求項２８】
リンクコストを、利用状況により計算することを特徴とする請求項２３に記載のネットワークシステム。
【請求項２９】
複数のノードを接続したネットワーク上でスパニングツリーによって転送経路を設定するネットワークシステムにおいて、
ネットワーク内の各ノードがルートノードとなるスパニングツリーを生成し、宛先がルートノードとなるツリーを用いてフレームを転送する
ことを特徴とするネットワークシステム。
【請求項３０】
複数のノードを接続したネットワーク上でスパニングツリーによって転送経路を設定するネットワークシステムにおいて、
独立して動作する複数のスパニングツリーを生成する複数のツリーマネージャと、
転送用ツリーに対応したタグを返答するタグテーブルと、
前記タグテーブルより返答のあったタグをフレームに挿入するタグ挿入器と、
ネットワークに存在するノード数と同数のツリーマネージャを生成するツリーセレクタと、
宛先ごとのフレーム転送出力先を記録するフォワーディングテーブルと、
前記フォワーディングテーブルで指定された転送出力先にフレームを転送するフレーム転送器と、
前記タグに従って前記フレームの転送先のツリーマネージャを決定する分別器
とを備えることを特徴とするネットワークシステム。
【請求項３１】
複数のノードを接続したネットワーク上でスパニングツリーによって転送経路を設定するネットワークシステムにおいて、
スパニングツリーを生成するツリーマネージャが、
スパニングツリープロトコルの種類およびバージョンにより、コスト値を調整するコスト操作処理
を実行することを特徴とするネットワークシステム。
【請求項３２】
複数のノードを接続したネットワーク上でスパニングツリーによって転送経路を設定するネットワークシステムにおいて、
スパニングツリーを生成するツリーマネージャが、
スパニングツリープロトコルの種類およびバージョンにより、コスト値を調整するコスト操作器
を備えることを特徴とするネットワークシステム。
【請求項３３】
複数のノードを接続したネットワーク上でスパニングツリーによって転送経路を設定するネットワークシステムにおいて、
ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行う
ことを特徴とするネットワークシステム。
【請求項３４】
複数のノードを接続したネットワーク上でスパニングツリーによって転送経路を設定するネットワークシステムにおいて、
独立して動作する複数のスパニングツリーを生成する複数のツリーマネージャと、
転送用ツリーに対応したタグを返答するタグテーブルと、
前記タグテーブルより返答のあったタグをフレームに挿入するタグ挿入器と、
ネットワークに存在する動作の遅いプロトコルを使用中のリンク数と同数のツリーマネージャを生成するツリーセレクタと、
宛先ごとのフレーム転送出力先を記録するフォワーディングテーブルと、
前記フォワーディングテーブルで指定された転送出力先にフレームを転送するフレーム転送器と、
前記タグに従って前記フレームの転送先のツリーマネージャを決定する分別器
とを備えることを特徴とするネットワークシステム。
【請求項３５】
前記フォワーディングテーブルが、ブロードキャスト出力ポートフィールドを有することを特徴とする、請求項３０、もしくは３４に記載のネットワークシステム。
【請求項３６】
前記フォワーディングテーブルが、予備出力ポートフィールドを有することを特徴とする、請求項３０、もしくは３４に記載のネットワークシステム。
【請求項３７】
スパニングツリーによって決定されるポート種別を用いて、出力先ポートを決定することを特徴とする、請求項３０、もしくは３４に記載のネットワークシステム。
【請求項３８】
前記スパニングツリーによって決定されるポート種別が、ルートポート及びディジグネイテッドポートの何れかであることを特徴とする請求項３７に記載のネットワークシステム。
【請求項３９】
複数のノードを接続したネットワークにおけるスパニングツリー構成方法であって、
新規ノードを追加する際に、新規ノードを既存スパニングツリーに参加させず、予備スパニングツリーにのみ参加させることを特徴とするスパニングツリー構成方法。
【請求項４０】
複数のノードを接続したネットワークにおけるスパニングツリー構成方法であって、
ノードを削除する際に、削除ノードを予備スパニングツリーに参加させず、既存スパニングツリーのみに参加させることを特徴とするスパニングツリー構成方法。
【請求項４１】
複数のノードを接続したネットワークにおけるスパニングツリー構成方法であって、
ネットワーク構成が変更された時、予備系を用いて変更後のツリー作成を行うことを特徴とするスパニングツリー構成方法。
【請求項４２】
複数のノードを接続したネットワークにおけるスパニングツリー構成方法であって、
コスト算出に、リンクの空き帯域を利用することを特徴とするスパニングツリー構成方法。
【請求項４３】
複数のノードを接続したネットワークにおけるスパニングツリー構成方法であって、
ネットワーク内の全ノードが、全ノードをメンバに持つスパニングツリーのうち、どれか１つのルートノードとなるよう、複数のスパニングツリーを作成することを特徴とするスパニングツリー構成方法。
【請求項４４】
複数のノードを接続したネットワークにおけるスパニングツリー構成方法であって、
ネットワーク内に存在する全ノードをメンバに持つスパニングツリーを作成し、うち、障害復旧の遅いプロトコルを使用しているリンクごとに複数のスパニングツリーを作成することを特徴とするスパニングツリー構成方法。
【請求項４５】
入力されるフレームが保持する宛先に関する情報と当該フレームの転送先との対応関係をスパニングツリープロトコルを用いて作成する手段と、
前記対応関係を参照し、入力されたフレームの転送先を決定する手段とを有するノード。
【手続補正２】
【補正対象書類名】明細書
【補正対象項目名】００３６
【補正方法】変更
【補正の内容】
【００３６】
請求項１の本発明は、複数のノードを接続したネットワーク上でスパニングツリーを構成するノードにおいて、ネットワーク内の各ノードがルートノードとなるスパニングツリーを生成し、宛先がルートノードとなるスパニングツリーを用いてフレームを転送することを特徴とする。
【手続補正３】
【補正対象書類名】明細書
【補正対象項目名】００３７
【補正方法】変更
【補正の内容】
【００３７】
請求項２の本発明のノードは、複数のノードを接続したネットワーク上でスパニングツリーを構成するノードにおいて、スパニングツリーを生成するツリーマネージャが、スパニングツリープロトコルの種類およびバージョンにより、コスト値を調整するコスト操作器を備えることを特徴とする。
【手続補正４】
【補正対象書類名】明細書
【補正対象項目名】００３８
【補正方法】変更
【補正の内容】
【００３８】
請求項３の本発明は、前記コスト操作器は、障害回復処理が遅いプロトコルを利用しているリンクに対して、大きなコストを割り振ることを特徴とする。
【手続補正５】
【補正対象書類名】明細書
【補正対象項目名】００３９
【補正方法】変更
【補正の内容】
【００３９】
請求項４の本発明は、複数のノードを接続したネットワーク上でスパニングツリーを構成するノードにおいて、ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行うことを特徴とする。
【手続補正６】
【補正対象書類名】明細書
【補正対象項目名】００４０
【補正方法】変更
【補正の内容】
【００４０】
請求項５の本発明のノードは、複数のノードを接続したネットワーク上でスパニングツリーを構成するノードにおいて、独立して動作する複数のスパニングツリーを生成する複数のツリーマネージャと、転送用ツリーに対応したタグを返答するタグテーブルと、前記タグテーブルより返答のあったタグをフレームに挿入するタグ挿入器と、ネットワークに存在する動作の遅いプロトコルを使用中のリンク数と同数のツリーマネージャを生成するツリーセレクタと、宛先ごとのフレーム転送出力先を記録するフォワーディングテーブルと、前記フォワーディングテーブルで指定された転送出力先にフレームを転送するフレーム転送器と、前記タグに従って転送先のツリーマネージャを決定する分別器とを備えることを特徴とする。
【手続補正７】
【補正対象書類名】明細書
【補正対象項目名】００４１
【補正方法】変更
【補正の内容】
【００４１】
請求項６の本発明のノードは、前記ツリーセレクタが、ツリーマネージャの作成もしくは削除を行うツリーセレクタ内のメインコントローラと、フレームに付加されたタグを削除するタグ削除器と、制御フレームを送信するＧＶＲＰ送受信器と、フレームにタグを付加するタグ挿入器とを備えることを特徴とする。
【手続補正８】
【補正対象書類名】明細書
【補正対象項目名】００４２
【補正方法】変更
【補正の内容】
【００４２】
請求項７の本発明のノードは、前記ツリーマネージャが、フレームに付加されたタグを削除するタグ削除器と、ＢＰＤＵを送受信するＢＰＤＵ送受信器と、フレームにタグを付加するタグ挿入器と、スパニングツリープロトコルにしたがってスパニングツリーを作成するツリーコントローラと、スパニングツリープロトコルで使用するパラメータを保持するツリーテーブルとを備えることを特徴とする。
【手続補正９】
【補正対象書類名】明細書
【補正対象項目名】００４３
【補正方法】変更
【補正の内容】
【００４３】
請求項８の本発明のノードは、リンクの接続状況や空き帯域を含むリソース情報を計測するリソースモニタを備えることを特徴とする。
【手続補正１０】
【補正対象書類名】明細書
【補正対象項目名】００４４
【補正方法】変更
【補正の内容】
【００４４】
請求項９の本発明のノードは、スパニングツリープロトコルで利用されているＨＥＬＬＯフレームより、短い間隔で障害検出用フレームを送受信して障害を検出する障害検出器を備えることを特徴とする。
【手続補正１１】
【補正対象書類名】明細書
【補正対象項目名】００４５
【補正方法】変更
【補正の内容】
【００４５】
請求項１０の本発明のノードは、前記フォワーディングテーブルが、ブロードキャスト出力ポートフィールドを有することを特徴とする。
【手続補正１２】
【補正対象書類名】明細書
【補正対象項目名】００４６
【補正方法】変更
【補正の内容】
【００４６】
請求項１１の本発明のノードは、前記フォワーディングテーブルが、予備出力ポートフィールドを有することを特徴とする。
【手続補正１３】
【補正対象書類名】明細書
【補正対象項目名】００４７
【補正方法】変更
【補正の内容】
【００４７】
請求項１２の本発明のノードは、スパニングツリーによって決定されるポート種別を用いて、出力先ポートを決定することを特徴とする。
【手続補正１４】
【補正対象書類名】明細書
【補正対象項目名】００４８
【補正方法】変更
【補正の内容】
【００４８】
請求項１３の本発明のノードは、前記スパニングツリーによって決定されるポート種別が、ルートポート及びディジグネイテッドポートの何れかであることを特徴とする。
【手続補正１５】
【補正対象書類名】明細書
【補正対象項目名】００４９
【補正方法】変更
【補正の内容】
【００４９】
請求項１４の本発明は、複数のノードを接続したネットワーク上でスパニングツリーを構成する各ノード上で動作するスパニングツリー構成プログラムにおいて、ネットワーク内の各ノードがルートノードとなるスパニングツリーを生成し、宛先がルートノードとなるツリーを用いてフレームを転送することを特徴とする。
【手続補正１６】
【補正対象書類名】明細書
【補正対象項目名】００５０
【補正方法】変更
【補正の内容】
【００５０】
請求項１５の本発明は、複数のノードを接続したネットワーク上でスパニングツリーを構成する各ノード上で動作するスパニングツリー構成プログラムにおいて、独立して動作する複数のスパニングツリーを生成する複数のツリーマネージャ処理と、転送に利用しているスパニングツリーに対応したタグを返答するタグテーブル処理と、前記タグテーブルより返答のあったタグをフレームに挿入するタグ挿入処理と、ネットワークに存在するルートノード数と同数のツリーマネージャを生成するツリーセレクタ処理と、宛先ごとのフレーム転送出力先を記録するフォワーディングテーブル処理と、前記フォワーディングテーブルで指定された転送出力先にフレームを転送するフレーム転送処理と、前記タグに従って前記フレームの転送先のツリーマネージャを決定する分別処理とを備えることを特徴とする。
【手続補正１７】
【補正対象書類名】明細書
【補正対象項目名】００５１
【補正方法】変更
【補正の内容】
【００５１】
請求項１６の本発明のスパニングツリー構成プログラムは、前記ツリーセレクタ処理が、ツリーマネージャの作成もしくは削除を行うツリーセレクタ内のメインコントローラ処理と、フレームに付加されたタグを削除するタグ削除処理と、スパニングツリーの切り替えのための制御フレームを送信するＧＶＲＰ送受信処理と、フレームにタグを付加するタグ挿入処理とを実行することを特徴とする。
【手続補正１８】
【補正対象書類名】明細書
【補正対象項目名】００５２
【補正方法】変更
【補正の内容】
【００５２】
請求項１７の本発明のスパニングツリー構成プログラムは、前記ツリーマネージャ処理が、フレームに付加されたタグを削除するタグ削除処理と、ＢＰＤＵを送受信するＢＰＤＵ送受信処理と、フレームにタグを付加するタグ挿入処理と、スパニングツリープロトコルに従ってスパニングツリーを作成するツリーコントローラ処理と、前記スパニングツリープロトコルで使用するパラメータを保持するツリーテーブル処理とを実行することを特徴とする。
【手続補正１９】
【補正対象書類名】明細書
【補正対象項目名】００５３
【補正方法】変更
【補正の内容】
【００５３】
請求項１８の本発明のスパニングツリー構成プログラムは、各前記ノードは、リンクの接続状況や空き帯域を含むリソース情報を計測するリソースモニタ処理を実行することを特徴とする。
【手続補正２０】
【補正対象書類名】明細書
【補正対象項目名】００５４
【補正方法】変更
【補正の内容】
【００５４】
請求項１９の本発明は、複数のノードを接続したネットワーク上でスパニングツリーを構成する各ノードで動作するスパニングツリー構成プログラムにおいて、ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行うことを特徴とする。
【手続補正２１】
【補正対象書類名】明細書
【補正対象項目名】００５５
【補正方法】変更
【補正の内容】
【００５５】
請求項２０の本発明は、複数のノードを接続したネットワーク上でスパニングツリーを構成する各ノードで動作するスパニングツリー構成プログラムにおいて、独立して動作する複数のスパニングツリーを生成する複数のツリーマネージャ処理と、転送用ツリーに対応したタグを返答するタグテーブル処理と、前記タグテーブルより返答のあったタグをフレームに挿入するタグ挿入処理と、ネットワークに存在する動作の遅いプロトコルを使用中のリンク数と同数のツリーマネージャを生成するツリーセレクタ処理と、宛先ごとのフレームの転送出力先を記録するフォワーディングテーブル処理と、前記フォワーディングテーブルで指定された転送出力先にフレームを転送するフレーム転送処理と、前記タグに従ってフレームの転送先のツリーマネージャを決定する分別処理とを備えることを特徴とする。
【手続補正２２】
【補正対象書類名】明細書
【補正対象項目名】００５６
【補正方法】変更
【補正の内容】
【００５６】
請求項２１のスパニングツリー構成プログラムは、前記ツリーセレクタ処理が、ツリーマネージャの作成もしくは削除を行うツリーセレクタ内のメインコントローラ処理と、フレームに付加されたタグを削除するタグ削除処理と、制御フレームを送信するＧＶＲＰ送受信処理と、フレームにタグを付加するタグ挿入処理とを備えることを特徴とする。
【手続補正２３】
【補正対象書類名】明細書
【補正対象項目名】００５７
【補正方法】変更
【補正の内容】
【００５７】
請求項２２のスパニングツリー構成プログラムは、前記ツリーマネージャ処理が、フレームに付加されたタグを削除するタグ削除処理と、ＢＰＤＵを送受信するＢＰＤＵ送受信処理と、フレームにタグを付加するタグ挿入処理と、スパニングツリープロトコルにしたがってスパニングツリーを作成するツリーコントローラ処理と、スパニングツリープロトコルで使用するパラメータを保持するツリーテーブル処理とを備えることを特徴とする。
【手続補正２４】
【補正対象書類名】明細書
【補正対象項目名】００５８
【補正方法】変更
【補正の内容】
【００５８】
請求項２３の本発明のスパニングツリー構成プログラムは、各前記ノードは、リンクの接続状況や空き帯域を含むリソース情報を計測するリソースモニタ処理を実行することを特徴とする。
【手続補正２５】
【補正対象書類名】明細書
【補正対象項目名】００５９
【補正方法】変更
【補正の内容】
【００５９】
請求項２４の本発明のスパニングツリー構成プログラムは、前記フォワーディングテーブルが、ブロードキャスト出力ポートフィールドを有することを特徴とする。
【手続補正２６】
【補正対象書類名】明細書
【補正対象項目名】００６０
【補正方法】変更
【補正の内容】
【００６０】
請求項２５の本発明のスパニングツリー構成プログラムは、前記フォワーディングテーブルが、予備出力ポートフィールドを有することを特徴とする。
【手続補正２７】
【補正対象書類名】明細書
【補正対象項目名】００６１
【補正方法】変更
【補正の内容】
【００６１】
請求項２６の本発明のスパニングツリー構成プログラムは、スパニングツリーによって決定されるポート種別を用いて、出力先ポートを決定することを特徴とする。
【手続補正２８】
【補正対象書類名】明細書
【補正対象項目名】００６２
【補正方法】変更
【補正の内容】
【００６２】
請求項２７の本発明のスパニングツリー構成プログラムは、前記スパニングツリーによって決定されるポート種別が、ルートポート及びディジグネイテッドポートの何れかであることを特徴とする。
【手続補正２９】
【補正対象書類名】明細書
【補正対象項目名】００６３
【補正方法】変更
【補正の内容】
【００６３】
請求項２８の本発明のネットワークシステムは、リンクコストを、利用状況により計算することを特徴とする。
【手続補正３０】
【補正対象書類名】明細書
【補正対象項目名】００６４
【補正方法】変更
【補正の内容】
【００６４】
請求項２９の本発明は、複数のノードを接続したネットワーク上でスパニングツリーによって転送経路を設定するネットワークシステムにおいて、ネットワーク内の各ノードがルートノードとなるスパニングツリーを生成し、宛先がルートノードとなるツリーを用いてフレームを転送することを特徴とする。
【手続補正３１】
【補正対象書類名】明細書
【補正対象項目名】００６５
【補正方法】変更
【補正の内容】
【００６５】
請求項３０の本発明は、複数のノードを接続したネットワーク上でスパニングツリーによって転送経路を設定するネットワークシステムにおいて、独立して動作する複数のスパニングツリーを生成する複数のツリーマネージャと、転送用ツリーに対応したタグを返答するタグテーブルと、前記タグテーブルより返答のあったタグをフレームに挿入するタグ挿入器と、ネットワークに存在するノード数と同数のツリーマネージャを生成するツリーセレクタと、宛先ごとのフレーム転送出力先を記録するフォワーディングテーブルと、前記フォワーディングテーブルで指定された転送出力先にフレームを転送するフレーム転送器と、前記タグに従って前記フレームの転送先のツリーマネージャを決定する分別器とを備えることを特徴とする。
【手続補正３２】
【補正対象書類名】明細書
【補正対象項目名】００６６
【補正方法】変更
【補正の内容】
【００６６】
請求項３１の本発明は、複数のノードを接続したネットワーク上でスパニングツリーによって転送経路を設定するネットワークシステムにおいて、スパニングツリーを生成するツリーマネージャが、スパニングツリープロトコルの種類およびバージョンにより、コスト値を調整するコスト操作処理を実行することを特徴とする。
【手続補正３３】
【補正対象書類名】明細書
【補正対象項目名】００６７
【補正方法】変更
【補正の内容】
【００６７】
請求項３２の本発明は、複数のノードを接続したネットワーク上でスパニングツリーによって転送経路を設定するネットワークシステムにおいて、スパニングツリーを生成するツリーマネージャが、スパニングツリープロトコルの種類およびバージョンにより、コスト値を調整するコスト操作器を備えることを特徴とする。
【手続補正３４】
【補正対象書類名】明細書
【補正対象項目名】００６８
【補正方法】変更
【補正の内容】
【００６８】
請求項３３の本発明は、複数のノードを接続したネットワーク上でスパニングツリーによって転送経路を設定するネットワークシステムにおいて、ネットワーク内の動作の遅いプロトコルを使用中のリンクのそれぞれについて、前記各リンクのコストが最大となるスパニングツリーを生成し、前記各リンクに障害が発生した際に、前記リンクのコストが最大となっているツリーを利用してフレーム転送を行うことを特徴とする。
【手続補正３５】
【補正対象書類名】明細書
【補正対象項目名】００６９
【補正方法】変更
【補正の内容】
【００６９】
請求項３４の本発明は、複数のノードを接続したネットワーク上でスパニングツリーによって転送経路を設定するネットワークシステムにおいて、独立して動作する複数のスパニングツリーを生成する複数のツリーマネージャと、転送用ツリーに対応したタグを返答するタグテーブルと、前記タグテーブルより返答のあったタグをフレームに挿入するタグ挿入器と、ネットワークに存在する動作の遅いプロトコルを使用中のリンク数と同数のツリーマネージャを生成するツリーセレクタと、宛先ごとのフレーム転送出力先を記録するフォワーディングテーブルと、前記フォワーディングテーブルで指定された転送出力先にフレームを転送するフレーム転送器と、前記タグに従って前記フレームの転送先のツリーマネージャを決定する分別器とを備えることを特徴とする。
【手続補正３６】
【補正対象書類名】明細書
【補正対象項目名】００７０
【補正方法】変更
【補正の内容】
【００７０】
請求項３５の本発明のネットワークシステムは、前記フォワーディングテーブルが、ブロードキャスト出力ポートフィールドを有することを特徴とする。
【手続補正３７】
【補正対象書類名】明細書
【補正対象項目名】００７１
【補正方法】変更
【補正の内容】
【００７１】
請求項３６の本発明のネットワークシステムは、前記フォワーディングテーブルが、予備出力ポートフィールドを有することを特徴とする。
【手続補正３８】
【補正対象書類名】明細書
【補正対象項目名】００７２
【補正方法】変更
【補正の内容】
【００７２】
請求項３７の本発明のネットワークシステムは、スパニングツリーによって決定されるポート種別を用いて、出力先ポートを決定することを特徴とする。
【手続補正３９】
【補正対象書類名】明細書
【補正対象項目名】００７３
【補正方法】変更
【補正の内容】
【００７３】
請求項３８の本発明のネットワークシステムは、前記スパニングツリーによって決定されるポート種別が、ルートポート及びディジグネイテッドポートの何れかであることを特徴とする。
【手続補正４０】
【補正対象書類名】明細書
【補正対象項目名】００７４
【補正方法】変更
【補正の内容】
【００７４】
請求項３９の本発明は、複数のノードを接続したネットワークにおけるスパニングツリー構成方法であって、新規ノードを追加する際に、新規ノードを既存スパニングツリーに参加させず、予備スパニングツリーにのみ参加させることを特徴とする。
【手続補正４１】
【補正対象書類名】明細書
【補正対象項目名】００７５
【補正方法】変更
【補正の内容】
【００７５】
請求項４０の本発明は、複数のノードを接続したネットワークにおけるスパニングツリー構成方法であって、ノードを削除する際に、削除ノードを予備スパニングツリーに参加させず、既存スパニングツリーのみに参加させることを特徴とする。
【手続補正４２】
【補正対象書類名】明細書
【補正対象項目名】００７６
【補正方法】変更
【補正の内容】
【００７６】
請求項４１の本発明は、複数のノードを接続したネットワークにおけるスパニングツリー構成方法であって、ネットワーク構成が変更された時、予備系を用いて変更後のツリー作成を行うことを特徴とする。
【手続補正４３】
【補正対象書類名】明細書
【補正対象項目名】００７７
【補正方法】変更
【補正の内容】
【００７７】
請求項４２の本発明は、複数のノードを接続したネットワークにおけるスパニングツリー構成方法であって、コスト算出に、リンクの空き帯域を利用することを特徴とする。
【手続補正４４】
【補正対象書類名】明細書
【補正対象項目名】００７８
【補正方法】変更
【補正の内容】
【００７８】
請求項４３の本発明は、複数のノードを接続したネットワークにおけるスパニングツリー構成方法であって、ネットワーク内の全ノードが、全ノードをメンバに持つスパニングツリーのうち、どれか１つのルートノードとなるよう、複数のスパニングツリーを作成することを特徴とする。
【手続補正４５】
【補正対象書類名】明細書
【補正対象項目名】００７９
【補正方法】変更
【補正の内容】
【００７９】
請求項４４の本発明は、複数のノードを接続したネットワークにおけるスパニングツリー構成方法であって、ネットワーク内に存在する全ノードをメンバに持つスパニングツリーを作成し、うち、障害復旧の遅いプロトコルを使用しているリンクごとに複数のスパニングツリーを作成することを特徴とする。
【手続補正４６】
【補正対象書類名】明細書
【補正対象項目名】００８０
【補正方法】変更
【補正の内容】
【００８０】
請求項４５の本発明のノードは、入力されるフレームが保持する宛先に関する情報と当該フレームの転送先との対応関係をスパニングツリープロトコルを用いて作成する手段と、前記対応関係を参照し、入力されたフレームの転送先を決定する手段とを有する。
【手続補正４７】
【補正対象書類名】明細書
【補正対象項目名】００８１
【補正方法】削除
【補正の内容】
【手続補正４８】
【補正対象書類名】明細書
【補正対象項目名】００８２
【補正方法】削除
【補正の内容】
【手続補正４９】
【補正対象書類名】明細書
【補正対象項目名】００８３
【補正方法】削除
【補正の内容】
【手続補正５０】
【補正対象書類名】明細書
【補正対象項目名】００８４
【補正方法】削除
【補正の内容】
【手続補正５１】
【補正対象書類名】明細書
【補正対象項目名】００８５
【補正方法】削除
【補正の内容】
【手続補正５２】
【補正対象書類名】明細書
【補正対象項目名】００８６
【補正方法】削除
【補正の内容】
【手続補正５３】
【補正対象書類名】明細書
【補正対象項目名】００８７
【補正方法】削除
【補正の内容】
【手続補正５４】
【補正対象書類名】明細書
【補正対象項目名】００８８
【補正方法】削除
【補正の内容】
【手続補正５５】
【補正対象書類名】明細書
【補正対象項目名】００８９
【補正方法】削除
【補正の内容】
【手続補正５６】
【補正対象書類名】明細書
【補正対象項目名】００９０
【補正方法】削除
【補正の内容】
【手続補正５７】
【補正対象書類名】明細書
【補正対象項目名】００９１
【補正方法】削除
【補正の内容】
【手続補正５８】
【補正対象書類名】明細書
【補正対象項目名】００９２
【補正方法】削除
【補正の内容】
【手続補正５９】
【補正対象書類名】明細書
【補正対象項目名】００９３
【補正方法】削除
【補正の内容】
【手続補正６０】
【補正対象書類名】明細書
【補正対象項目名】００９４
【補正方法】削除
【補正の内容】
【手続補正６１】
【補正対象書類名】明細書
【補正対象項目名】００９５
【補正方法】削除
【補正の内容】
【手続補正６２】
【補正対象書類名】明細書
【補正対象項目名】００９６
【補正方法】削除
【補正の内容】
【手続補正６３】
【補正対象書類名】明細書
【補正対象項目名】００９７
【補正方法】削除
【補正の内容】
【手続補正６４】
【補正対象書類名】明細書
【補正対象項目名】００９８
【補正方法】削除
【補正の内容】
【手続補正６５】
【補正対象書類名】明細書
【補正対象項目名】００９９
【補正方法】削除
【補正の内容】
【手続補正６６】
【補正対象書類名】明細書
【補正対象項目名】０１００
【補正方法】削除
【補正の内容】
【手続補正６７】
【補正対象書類名】明細書
【補正対象項目名】０１０１
【補正方法】削除
【補正の内容】
【手続補正６８】
【補正対象書類名】明細書
【補正対象項目名】０１０２
【補正方法】削除
【補正の内容】
【手続補正６９】
【補正対象書類名】明細書
【補正対象項目名】０１０３
【補正方法】削除
【補正の内容】
【手続補正７０】
【補正対象書類名】明細書
【補正対象項目名】０１０４
【補正方法】削除
【補正の内容】
【手続補正７１】
【補正対象書類名】明細書
【補正対象項目名】０１０５
【補正方法】削除
【補正の内容】
【手続補正７２】
【補正対象書類名】明細書
【補正対象項目名】０１０６
【補正方法】削除
【補正の内容】
【手続補正７３】
【補正対象書類名】明細書
【補正対象項目名】０１０７
【補正方法】削除
【補正の内容】
【手続補正７４】
【補正対象書類名】明細書
【補正対象項目名】０１０８
【補正方法】削除
【補正の内容】
【手続補正７５】
【補正対象書類名】明細書
【補正対象項目名】０１０９
【補正方法】削除
【補正の内容】
【手続補正７６】
【補正対象書類名】明細書
【補正対象項目名】０１１０
【補正方法】削除
【補正の内容】
【手続補正７７】
【補正対象書類名】明細書
【補正対象項目名】０１１１
【補正方法】削除
【補正の内容】
【手続補正７８】
【補正対象書類名】明細書
【補正対象項目名】０１１２
【補正方法】削除
【補正の内容】
【手続補正７９】
【補正対象書類名】明細書
【補正対象項目名】０１１３
【補正方法】削除
【補正の内容】
【手続補正８０】
【補正対象書類名】明細書
【補正対象項目名】０１１４
【補正方法】削除
【補正の内容】
【手続補正８１】
【補正対象書類名】明細書
【補正対象項目名】０１１５
【補正方法】削除
【補正の内容】
【手続補正８２】
【補正対象書類名】明細書
【補正対象項目名】０１１６
【補正方法】削除
【補正の内容】
【手続補正８３】
【補正対象書類名】明細書
【補正対象項目名】０１１７
【補正方法】削除
【補正の内容】
【手続補正８４】
【補正対象書類名】明細書
【補正対象項目名】０１１８
【補正方法】削除
【補正の内容】
【手続補正８５】
【補正対象書類名】明細書
【補正対象項目名】０１１９
【補正方法】削除
【補正の内容】